(57)【要約】【課題】導電性のフィルムが窓ガラスに設けられても、ガラスアンテナのアンテナ利得が低下することを抑えることができる、アンテナ装置の提供。【解決手段】窓ガラスと、前記窓ガラスに設けられたガラスアンテナと、前記窓ガラスに設けられた導電性のフィルムとを備え、前記ガラスアンテナは、前記窓ガラスの側部に位置する給電部と、前記給電部に接続されたアンテナ導体とを有し、前記アンテナ導体は、前記フィルムの上縁に沿って延伸する線条部を有し、前記線条部と前記上縁との距離は、前記線条部が前記上縁よりも下側にあるときを正とすると、０ｍｍ以上６０ｍｍ以下である、アンテナ装置。【選択図】図２
2015099949.tif 000002
【特許請求の範囲】
【請求項１】
窓ガラスと、
前記窓ガラスに設けられたガラスアンテナと、
前記窓ガラスに設けられた導電性のフィルムとを備え、
前記ガラスアンテナは、前記窓ガラスの側部に位置する給電部と、前記給電部に接続されたアンテナ導体とを有し、
前記アンテナ導体は、前記フィルムの上縁に沿って延伸する線条部を有し、
前記線条部と前記上縁との距離は、前記線条部が前記上縁よりも下側にあるときを正とすると、０ｍｍ以上６０ｍｍ以下である、アンテナ装置。
【請求項２】
前記線条部が前記上縁に沿って延伸する長さは、３５ｍｍ以上である、請求項１に記載のアンテナ装置。
【請求項３】
前記アンテナ導体は、前記線条部を包含する第１のアンテナエレメントと、前記第１のアンテナエレメントよりも下側に位置する第２のアンテナエレメントとを有し、
前記第２のアンテナエレメントと前記上縁との距離は、１０ｍｍ以上６０ｍｍ以下である、請求項１又は２に記載のアンテナ装置。
【請求項４】
前記ガラスアンテナは、前記給電部に接続されてない非接続アンテナ導体を有し、
前記非接続アンテナ導体は、前記第１のアンテナエレメントに容量結合される第３のアンテナエレメント及び前記第２のアンテナエレメントに容量結合される第４のアンテナエレメントを有する、請求項３に記載のアンテナ装置。
【請求項５】
前記ガラスアンテナは、前記非接続アンテナ導体に接続された第２の給電部を有する、請求項４に記載のアンテナ装置。
【請求項６】
前記非接続アンテナ導体は、前記第１のアンテナエレメント及び前記第２のアンテナエレメントとの容量結合部に対して、前記第２の給電部とは反対側に位置するアンテナエレメントを有する、請求項５に記載のアンテナ装置。
【発明の詳細な説明】
【技術分野】
【０００１】
本発明は、ガラスアンテナが設けられた窓ガラスを有するアンテナ装置に関する。
【背景技術】
【０００２】
窓ガラスの断熱機能や防曇機能を高めるため、導電性のフィルムが窓ガラスに設けられることがある（例えば、特許文献１を参照）。
【先行技術文献】
【特許文献】
【０００３】
【特許文献１】特開２００１−１２７５２０号公報
【発明の概要】
【発明が解決しようとする課題】
【０００４】
ところが、ガラスアンテナが設けられた窓ガラスに導電性のフィルムを設ける場合、その導電性が影響して、ガラスアンテナのアンテナ利得が低下するという問題点がある。この点、特許文献１の技術では、アンテナ導体を配置可能な領域が導電性薄膜の膜抜き領域に限られるため、アンテナパターンの設計の自由度がなく、充分なアンテナ利得を確保したガラスアンテナを得ることが難しい場合がある。
【０００５】
そこで、本発明は、導電性のフィルムが窓ガラスに設けられても、ガラスアンテナのアンテナ利得が低下することを容易に抑えることができる、アンテナ装置の提供を目的とする。
【課題を解決するための手段】
【０００６】
上記目的を達成するため、本発明は、
窓ガラスと、
前記窓ガラスに設けられたガラスアンテナと、
前記窓ガラスに設けられた導電性のフィルムとを備え、
前記ガラスアンテナは、前記窓ガラスの側部に位置する給電部と、前記給電部に接続されたアンテナ導体とを有し、
前記アンテナ導体は、前記フィルムの上縁に沿って延伸する線条部を有し、
前記線条部と前記上縁との距離は、前記線条部が前記上縁よりも下側にあるときを正とすると、０ｍｍ以上６０ｍｍ以下である、アンテナ装置を提供するものである。
【発明の効果】
【０００７】
本発明によれば、導電性のフィルムが窓ガラスに設けられても、ガラスアンテナのアンテナ利得が低下することを容易に抑えることができる。
【図面の簡単な説明】
【０００８】
【図１】一実施形態に係るアンテナ装置の模式的な断面図である。
【図２】一実施形態に係るアンテナ装置の模式的な平面図である。
【図３】フィルムの上縁とその上縁に沿って延伸する線条部との距離Ｈ１と、アンテナ利得との関係を示したグラフである。
【図４】線条部がフィルムの上縁に並走する長さＷ１と、アンテナ利得との関係図である。
【図５】一実施例のアンテナ装置の平面図である。
【図６】一比較例のアンテナ装置の平面図である。
【図７】垂直偏波における、フィルムの有無でのアンテナ利得差の周波数特性図である。
【図８】水平偏波における、フィルムの有無でのアンテナ利得差の周波数特性図である。
【発明を実施するための形態】
【０００９】
以下、図面を参照しながら、本発明を実施するための形態の説明を行う。なお、形態を説明するための図面において、方向について特に記載しない場合には図面上での方向をいうものとし、各図面の向きは、記号、数字の方向に対応する。また、平行、直角などの方向は、本発明の効果を損なわない程度のズレを許容するものである。また、形態を説明するための平面図は、窓ガラスが車両に取り付けられた状態での車内視の図であるが、車外視の図として参照してもよい。例えば、窓ガラスが車両の後部に取り付けられるリヤガラスである場合、図面上での左右方向が車幅方向に相当する。なお、導電性のフィルムを設けることに関して法制上の問題がなければ、窓ガラスは、リヤガラスに限らず、車両の前部に取り付けられるフロントガラスでもよいし、車両の側部に取り付けられるサイドガラスでもよい。
【００１０】
図１は、本発明の一実施形態である車両用のアンテナ装置１の一部の模式的な断面図である。Ｚは、窓ガラス１１の表面の法線方向を表す。アンテナ装置１は、窓ガラス１１と、窓ガラス１１に平面的に設けられたガラスアンテナ１４と、窓ガラス１１に設けられた導電性のフィルム１５とを備えている。
【００１１】
窓ガラス１１は、表面１２と、表面１２とは反対側の表面１３とを有している。例えば、表面１２が車内側の面であり、表面１３が車外側の面である。
【００１２】
ガラスアンテナ１４は、表面１２に配置され、例えば、銀ペースト等の、導電性金属を含有するペーストを窓ガラス１１の車内側表面１２にプリントし、焼付けて形成される。しかし、この形成方法に限定されず、銅等の導電性物質からなる、線状体又は箔状体を、窓ガラス１１の車両側表面１２又は車外側表面１３に形成してもよく、窓ガラス１１に接着剤等により貼付してもよく、窓ガラス１１の内部に設けてもよい。
【００１３】
フィルム１５は、窓ガラス１１の表面１２に貼られることで、窓ガラス１１の断熱機能を向上させる。例えば、車外から車内への赤外線の透過を抑制でき、車内の熱が車外に逃げることを抑制できる。フィルム１５は、窓ガラス１１の表面１２に貼られることで、窓ガラス１１の防曇機能を向上させるものでもよい。また、フィルム１５は、窓ガラス１１の表面１３に貼られてもよい。
【００１４】
フィルム１５は、ガラスアンテナ１４の一部又は全部を覆うように、窓ガラス１１の表面１２側に取り付けられる。すなわち、フィルム１５は、法線方向Ｚから見ると、ガラスアンテナ１４の一部又は全部と重なって見えるように、窓ガラス１１の表面１２側に配置される。また、フィルム１５は、窓ガラス１１の表面１３を対向して見ると、ガラスアンテナ１４の一部又は全部と重なって見えるように、窓ガラス１１の表面１３側に配置されてもよい。
【００１５】
フィルム１５は、例えば、導電層１６と接着層１７とが積層された構成を有している。導電層１６と接着層１７との間に絶縁層があってもよいし、導電層１６の接着層１７とは反対側の面に絶縁層があってもよい。導電層１６は、例えば、導電性の金属又は金属化合物を包含している。フィルム１５は、図１の場合、接着層１７によって窓ガラス１１の表面１２に接着される。接着層１７は、例えば、感圧型の粘着シートである。なお、フィルム１５は、接着層１７を有さずに、接着剤によって窓ガラス１１の表面１２に接着されてもよい。
【００１６】
図２は、図１のアンテナ装置１の模式的な平面図であって、窓ガラス１１の表面を対向して見た図である。図２の上下方向が、窓ガラス１１が車両の後部の窓枠に取り付けられた状態で窓ガラス１１の表面を対向して見たときの上下方向に相当する。図２では、フィルム１５の縁がガラスアンテナ１４の線と交差して見えにくくなることを防ぐため点線で表示されているが、フィルム１５は、窓ガラス１１の紙面手前側の表面に設けられている。なお、フィルム１５は、上述の通り、窓ガラス１１の紙面奥側の表面に設けられてもよい。
【００１７】
ガラスアンテナ１４は、窓ガラス１１の側部１１ｓに位置する給電部２５と、給電部２５に接続されたアンテナ導体２０とを有している。
【００１８】
給電部２５は、増幅器等の不図示の信号処理回路にアンテナ導体２０を接続するための給電点である。図２では、給電部２５が窓ガラス１１の左側の側部１１ｓに配置されている。側部１１ｓは、例えば、窓ガラス１１の左側の側縁１１ｂと、フィルム１５の左側の側縁１５ｂとの間に挟まれた領域である。側縁１５ｂは、側縁１１ｂに対して窓ガラス１１の中央寄りに位置する。
【００１９】
アンテナ導体２０は、フィルム１５の上縁１５ａに沿って延伸する線条部２１ａを含んで構成されたエレメント２１をアンテナパターンとして有している。上縁１５ａは、窓ガラス１１の上縁１１ａに対して窓ガラス１１の中央寄りに位置する。フィルム１５は、上縁１５ａが水平面（路面）に対して平行な左右方向に延在するように窓ガラス１１に設けられている。アンテナ導体２０のエレメント２１は、線条部２１ａが上縁１５ａに平行な左右方向に延在するように窓ガラス１１に設けられている。エレメント２１は、給電部２５に接続され、点ａで折れ曲がってＬ字状に形成された部分を含んで構成された線条導体である。なお、エレメント２１は、折れ曲がらずに給電部２５に直接接続されていてもよい。
【００２０】
エレメント２１がフィルム１５の上縁１５ａに沿って延伸する線条部２１ａを含んで構成されていることによって、導電性のフィルム１５が電波を受けることにより上縁１５ａに沿って励起された電流を、上縁１５ａと電磁結合された線条部２１ａに伝達できる。上縁１５ａに沿って流れる励起電流を線条部２１ａに効率的に伝達できれば、エレメント２１のアンテナ利得（感度）は向上するので、ガラスアンテナ１４を有する窓ガラス１１に導電性のフィルム１５が設けられても、ガラスアンテナ１４のアンテナ利得（感度）が低下することを容易に抑制できる。
【００２１】
図３は、線条部２１ａと上縁１５ａとの距離Ｈ１と、エレメント２１のアンテナ利得との関係を示したグラフである。横軸の距離Ｈ１は、線条部２１ａが上縁１５ａよりも下側にあるときを正とする。距離Ｈ１が０ｍｍとは、窓ガラス１１の表面を対向して見たときに、線条部２１ａが上縁１５ａに重なるように配置されていることを表す。縦軸は、ＦＭ周波数帯８８〜１０８ＭＨｚの帯域において１ＭＨｚ毎に測定されたアンテナ利得の平均値を表す。図３の測定時には、図２に示された後述のエレメント２２及びアンテナ導体３０は、ガラスアンテナ１４に構成されてない。また、図３の測定時にエレメント２１に対して送信される電波の偏波面は、４５°である。
【００２２】
図３に示されるように、距離Ｈ１を０ｍｍ以上６０ｍｍ以下、より好ましくは３ｍｍ以上４０ｍｍ以下、さらに好ましくは５ｍｍ以上３０ｍｍ以下にすることによって、上縁１５ａに沿って流れる励起電流を線条部２１ａに効率的に伝達できるので、エレメント２１のアンテナ利得を向上させることができる。したがって、距離Ｈ１をこのような寸法範囲内に設定することによって、ガラスアンテナ１４を有する窓ガラス１１に導電性のフィルム１５が設けられても、ガラスアンテ１４のアンテナ利得が低下することを容易に抑制できる。
【００２３】
フィルム１５のシート抵抗は、ガラスアンテナ１４のアンテナ利得が向上する点で、０〜７００［□／Ω（square/ohm）］が好ましく、２４．８〜６２５［□／Ω］がより好ましい。
【００２４】
図４は、線条部２１ａが上縁１５ａに沿って延伸する並走長さW１と、エレメント２１のアンテナ利得との関係を示したグラフである。横軸の並走長さW１は、図２において、フィルム１５の左側の縁部１５ｂとエレメント２１との交点ｂから、エレメント２１の左右方向の延在部分の端部ｃまでの導体長に相当する。縦軸は、ＦＭ周波数帯８８〜１０８ＭＨｚの帯域において１ＭＨｚ毎に測定されたアンテナ利得の平均値を表す。図４の測定時には、図２に示された後述のエレメント２２及びアンテナ導体３０は、ガラスアンテナ１４に構成されてない。また、図４の測定時には、距離Ｈ１を１０ｍｍ、給電部２５から点ａまでの導体長を２１０ｍｍ、点ａから点ｂまでの導体長を１５ｍｍに固定している。図４には、エレメント２１に対して送信される電波を、垂直偏波にしたときのデータと水平偏波にしたときのデータが示されている。
【００２５】
図４に示されるように、他のアンテナエレメントに接触しない範囲内で、並走長さＷ１を、垂直偏波の場合、３５ｍｍ以上、より好ましくは８５ｍｍ以上、水平偏波の場合、２８５ｍｍ以上、より好ましくは３３５ｍｍ以上に設定する。これにより、上縁１５ａに沿って流れる励起電流を線条部２１ａに効率的に伝達できるので、エレメント２１のアンテナ利得を向上させることができる。したがって、並走長さＷ１をこのような寸法範囲内に設定することによって、ガラスアンテナ１４を有する窓ガラス１１に導電性のフィルム１５が設けられても、ガラスアンテ１４のアンテナ利得が低下することを容易に抑制できる。
【００２６】
また、図２において、アンテナ導体２０は、エレメント２１のほかに、エレメント２１よりも下側に位置するエレメント２２をアンテナパターンとして有してもよい。エレメント２２が設けられることによって、アンテナ導体２０のアンテナ利得（特に、ＶＨＦ帯のＦＭ放送帯域のアンテナ利得）が向上する。
【００２７】
エレメント２２は、例えば、エレメント２１の線条部２１ａに平行な左右方向に延在する部分を含んで構成された線分エレメントである。エレメント２２は、給電部２２又はエレメント２１の部位を起点に、線条部２１ａに沿って右方に延伸し、右方への延伸の終点である端部ｄまで延伸する部分を含んで構成されている。エレメント２２は、例えば、エレメント２１の上下方向に延在する部位（給電部２５から点ａまでの間の部位）を起点に延伸する。
【００２８】
エレメント２２とフィルム１５の上縁１５ａとの距離Ｈ２が、１０ｍｍ以上６０ｍｍ以下、より好ましくは１５ｍｍ以上５０ｍｍ以下であることによって、アンテナ導体２０のアンテナ利得（特に、ＶＨＦ帯のＦＭ放送帯域のアンテナ利得）が向上する。
【００２９】
また、ガラスアンテナ１４は、給電部２５に接続されていない非接続アンテナ導体として、アンテナ導体３０を有してもよい。アンテナ導体３０は、エレメント２１の線条部２１ａと容量結合するアンテナエレメントとしてエレメント３１を有し、エレメント２２と容量結合するアンテナエレメントとしてエレメント３２を有している。このような容量結合部を設けることによって、アンテナ導体２０のアンテナ利得（特に、ＶＨＦ帯のＦＭ放送帯域のアンテナ利得）が向上する。
【００３０】
エレメント３１は、図２の場合、線条部２１ａに沿うように近接して左右方向に延在し、線条部２１ａよりも上側に位置することで、線条部２１ａとの間に容量結合部を形成している。エレメント３１は、端部ｈを起点に左方へ延伸し、左方への延伸の終点である端部ｉまで直線的に延伸する線分エレメントである。エレメント３２は、図２の場合、エレメント２２に沿うように近接して左右方向に延在し、エレメント２２よりも下側に位置することで、エレメント２２との間に容量結合部を形成している。エレメント３２は、端部ｇを起点に左方に延伸し、左方への延伸の終点である端部ｊまで直線的に延伸する線分エレメントである。
【００３１】
エレメント３１とエレメント３２は、上下方向に延在するエレメント３３によって接続される。エレメント３３の導体長及び／又は位置を変更することによって、アンテナ導体２０の指向性（特に、ＶＨＦ帯のＦＭ放送帯域の指向性）を調整できる。
【００３２】
また、ガラスアンテナ１４は、アンテナ導体３０にエレメント３４を介して接続された給電部３５を有してもよい。
【００３３】
給電部３５は、増幅器等の不図示の信号処理回路にアンテナ導体３０を接続するための給電点である。図２では、給電部３５が、給電部２５の下方に配置され、給電部２５と同じ側部１１ｓに配置されている。エレメント３４は、図２の場合、エレメント２２の下側に配置され、線条部２１ａに平行な左右方向に延在する部分を含んで構成されている。エレメント３４は、一方の端部が給電部３５に接続され、もう一方の端部がエレメント３３の下側の端部ｅに接続されている。エレメント３４の長さを調整することによって、ＶＨＦ帯よりも低いＭＦ帯の帯域（特に、ＡＭ放送帯）におけるアンテナ導体３０のアンテナ利得が向上する。
【００３４】
また、アンテナ導体３０は、エレメント２２及びエレメント２３との容量結合部に対して、給電部３５とは反対側に位置するアンテナエレメントとして、エレメント３６を有している。エレメント３６の導体長及び／又は位置を変更することによって、アンテナ導体２０のアンテナ利得（特に、ＶＨＦ帯のＦＭ放送帯域のアンテナ利得）を調整できる。
【００３５】
エレメント３６は、例えば、線条部２１ａに平行な左右方向に延在する部分を含んで構成され、エレメント３３上の点ｆを起点に右方に延伸し、右方への延伸の終点である端部ｋまで延伸する。
【００３６】
また、窓ガラス１１には、複数のヒータ線とそれらのヒータ線に給電するバスバとを有するデフォッガ５０が設けられてよい。この場合、ガラスアンテナ１４は、デフォッガ５０よりも上側の余白領域に設けられるとよい。
【００３７】
なお、各アンテナエレメントの線幅（導体幅）の最小値は、プリントされたエレメントの断線を防止する点で、０．４ｍｍ以上が好ましく、０．６ｍｍ以上がより好ましい。また、各線幅の最大値は、ガラスの曲げ成形時に発生する歪みを抑える点で、３．０ｍｍ以下が好ましく、２．８ｍｍ以下がより好ましい。
【００３８】
また、ガラスアンテナ１４は、給電部２５，３５と信号処理回路との接続に所定の導電性部材が用いられる。導電性部材として、例えば、ＡＶ線や同軸ケーブルなどの給電線が用いられる。同軸ケーブルが用いられる場合、同軸ケーブルの内部導体を給電部２５に接続され、その同軸ケーブルの外部導体を車体にアース接続すればよい。給電部３５についても同様である。また、導電性部材を給電部２５，３５に電気的に接続するためのコネクタを、給電部２５，３５に実装する構成を採用してもよい。このようなコネクタによって、同軸ケーブルの内部導体を給電部２５，３５に取り付けることが容易になる。
【００３９】
また、給電部２５，３５の形状は、上記の導電性部材又はコネクタの実装面の形状や、それらの実装面の間隔に応じて決めるとよい。例えば、正方形、略正方形、長方形、略長方形などの方形状や多角形状が実装上好ましい。なお、円、略円、楕円、略楕円などの円状でもよい。
【００４０】
また、各アンテナ導体からなる導体層を合成樹脂製フィルムの内部又はその表面に設け、導体層付き合成樹脂製フィルムを窓ガラスの車内側表面又は車外側表面に形成してガラスアンテナとしてもよい。さらに、各アンテナ導体が形成されたフレキシブル回路基板を窓ガラスの車内側表面又は車外側表面に形成してガラスアンテナとしてもよい。
【００４１】
また、窓ガラスの表面上に隠蔽膜を形成し、この隠蔽膜の上に給電部及びアンテナ導体の一部分を設けてもよい。隠蔽膜は黒色セラミックス膜等のセラミックスが挙げられる。この場合、窓ガラスの車外側から見ると、隠蔽膜により隠蔽膜上に設けられているアンテナ導体の部分が車外から見えなくなり、デザインの優れた窓ガラスとなる。図示の構成では、給電部とアンテナ導体の一部を隠蔽膜上に（隠蔽膜の縁と窓ガラスの縁との間に）形成させることで、車外視において導体の細い直線部分のみを見ることになり、デザイン上好ましい。
【００４２】
なお、エレメント２１、エレメント２２は、それぞれ特許請求の範囲でいう「第１のアンテナエレメント」、「第２のアンテナエレメント」に相当する。また、エレメント３１、エレメント３２は、それぞれ特許請求の範囲でいう「第３のアンテナエレメント」、「第４のアンテナエレメント」に相当する。また、給電部３５は、特許請求の範囲でいう「第２の給電部」に相当する。
【実施例】
【００４３】
本発明に係るアンテナ装置を、実際の車両のリヤガラスに適用した例を説明する。図５は、本発明の実施例であるアンテナ装置２の平面図である。図６は、本発明の比較例である従来のアンテナ装置３の平面図である。以下、アンテナ装置２，３のアンテナ利得の周波数特性を実測した結果について説明する。
【００４４】
アンテナ装置２の窓ガラス１１には、ＦＭ放送帯用の給電部２５と、ＡＭ放送帯用の給電部３５と、導電性のフィルム１５と、デフォッガ５０とが設けられている。同様に、アンテナ装置３の窓ガラス１１１には、ＦＭ放送帯用の給電部１２５と、ＡＭ放送帯用の給電部１３５と、導電性のフィルム１１５と、デフォッガ１５０とが設けられている。
【００４５】
アンテナ利得は、ガラスアンテナが形成された自動車用窓ガラスを、ターンテーブル上の自動車の窓枠に組みつけて実測した。ＦＭ放送帯用の給電部２５，１２５は、コネクタが取り付けられていて、フィーダ線を介してネットワークアナライザに接続される。窓ガラスに対して全方向から垂直偏波又は水平偏波の電波が照射されるように、ターンテーブルが回転する。
【００４６】
アンテナ利得の測定は、ターンテーブルの中心に、ガラスアンテナのガラスを組みつけた自動車の車両中心をセットして、自動車を３６０°回転させて行われる。アンテナ利得のデータは、回転角度３°毎に、ＦＭ放送帯の周波数範囲８８〜１０８ＭＨｚにおいて１ＭＨｚ毎に測定される。電波の発信位置とアンテナ導体との仰角は略水平方向（地面と平行な面を仰角＝０°、天頂方向を仰角＝９０°とする場合、仰角＝０°の方向）で測定した。
【００４７】
アンテナ装置２の各部の寸法は、単位をｍｍとすると、
Ｈ１：１３．６      Ｈ２：５０          W１：４４０
ｗ１：５３５        ｗ２：５３１        ｗ３：５２６        ｗ４：５１０
ｗ５：４８５        ｗ６：４８５        ｗ７：４１５        ｗ８：４００
ｗ９：３９５        ｗ１０：２００      ｗ１１：８０        ｗ１２：１６０
ｗ１３：１７０      ｗ１４：１６５      ｗ１５：２００      ｗ１６：３７５
ｗ１７：５２０      ｗ１８：５２５      ｗ１９：５５５
ｈ１：０            ｈ２：１３．６      ｈ３：３０          ｈ４：１０
ｈ５：３０          ｈ６：３０          ｈ７：３０          ｈ８：４０
である。
【００４８】
アンテナ装置３の各部の寸法は、単位をｍｍとすると、
Ｈ１１：９５
ｗ２０：５３６      ｗ２１：５３１      ｗ２２：５２６      ｗ２３：５１８
ｗ２４：４６３      ｗ２５：８０        ｗ２６：２８５      ｗ２７：２８０
ｗ２８：２８０      ｗ２９：２６０      ｗ３０：２００      ｗ３１：９５
ｗ３２：９５        ｗ３３：１００      ｗ３４：１００      ｗ３５：１０５
ｗ３６：２００      ｗ３７：３１０      ｗ３８：４１０      ｗ３９：５３０
ｗ４０：５３９
ｈ１１：１５        ｈ１２：２８        ｈ１３：６０        ｈ１４：２０
ｈ１５：１０        ｈ１６：２０        ｈ１７：１０        ｈ１８：４０
ｈ１９：５０        ｈ２０：６０        ｈ２１：３０        ｈ２２：２０
ｈ２３：１０        ｈ２４：５          ｈ２５：５０
である。
【００４９】
なお、「ｗ＊＊」は（＊＊は数字を表す）、図５，６上で「ｗ＊＊」が矢印で示している箇所から、デフォッガ５０，１５０の中央線４０，１４０までの最短距離を示している。中央線４０，１４０は、デフォッガ５０，１５０を左右に区分けするように上下方向に仮想的に引かれた直線である。「ｈ＊＊」は、上下方向での導体間の最短距離を示している。図５のＨ１及び図６のＨ１１は、導電性のフィルムの上縁とその上縁に沿って延伸する線条部との距離を表す。
【００５０】
【表１】
2015099949.tif 000003
表１は、「導電性のフィルム１１５が無い」ときのアンテナ装置３（比較例）のアンテナ利得と、「導電性のフィルム１５が無い」ときのアンテナ装置２（実施例）のアンテナ利得とを示している。表１のデータは、回転角度３°毎に、ＦＭ放送帯８８〜１０８ＭＨｚの周波数範囲において１ＭＨｚ毎に測定されたアンテナ利得の平均値である。表１に示されるように、導電性のフィルムが無い状態では、アンテナ装置２，３それぞれのＦＭ放送帯のアンテナ利得は、アンテナエレメントのパターンが互いに異なっていても、垂直偏波のときも水平偏波のときもアンテナ利得の平均値は１ｄＢμＶ以内の差でほぼ同じである。
【００５１】
次に、導電性のフィルムが取り付けられた状態で、アンテナ装置２，３のアンテナ利得を測定して、それぞれのアンテナ利得がどの程度低下するのかを確認した。
【００５２】
図７，８は、導電性のフィルムが有るときと無いときとのアンテナ利得の差の周波数特性図である。図７，８の縦軸は、回転角度３°毎に測定された３６０°分のアンテナ利得の平均値の差である。図７は、垂直偏波のときのデータであり、図８は、水平偏波のときのデータである。
【００５３】
【表２】
2015099949.tif 000004
表２のデータは、図７，８の周波数毎のアンテナ利得差を平均した値である。図７，８及び表２で示されるアンテナ利得差は、導電性フィルムが有る場合のＦＭ放送帯のアンテナ利得が、導電性フィルムが無い場合に対して、どの程度低下しているのかを表す。アンテナ利得差が大きいほど、アンテナ利得の低下度合いが大きいことを表す。図７，図８及び表２に示されるように、実施例のアンテナ装置２（Ｈ１＝１０ｍｍ）は、比較例のアンテナ装置３（Ｈ１１＝９５ｍｍ）に比べて、アンテナ利得差が小さい（すなわち、アンテナ利得があまり低下していない）。つまり、実施例のアンテナ装置２の場合、導電性のフィルムが窓ガラスに設けられることによってアンテナ利得が低下しても、アンテナ装置３に比べて、その低下量が抑えられている。
【産業上の利用可能性】
【００５４】
本発明において、導電性フィルムの上縁に沿って延伸する線条部を有するアンテナ導体は、例えば、３０Ｍ〜０．３ＧＨｚのＶＨＦ帯に利用されると好適である。ＶＨＦ帯の電波の用途として、日本のＦＭ放送帯（７６〜９０ＭＨｚ）、米国のＦＭ放送帯（８８〜１０８ＭＨｚ）、テレビＶＨＦ帯（９０〜１０８ＭＨｚ、１７０〜２２２ＭＨｚ）が挙げられる。また、本発明において、導電性フィルムの上縁に沿って延伸する線条部を有するアンテナ導体は、例えば、０．３Ｇ〜３ＧＨｚのＵＨＦ帯の低域側に利用されると好適である。ＵＨＦ帯の低域側の電波の用途として、車両用キーレスエントリーシステム（３００〜４５０ＭＨｚ）、自動車電話用の８００ＭＨｚ帯（８１０〜９６０ＭＨｚ）が挙げられる。
【００５５】
また、本発明において、上記線条部を有するアンテナ導体の給電部に接続されていない非接続アンテナ導体は、例えば、３００ｋ〜３ＭＨｚのＭＦ帯に利用されると好適である。ＭＦ帯の電波の用途として、ＡＭラジオ放送（５２０〜１７００ｋＨｚ）が挙げられる。
【符号の説明】
【００５６】
１，２，３  アンテナ装置
１１，１１１  窓ガラス
１１ｓ  側部
１２，１３  表面
１４  ガラスアンテナ
１５，１１５  導電性のフィルム
１５ａ  上縁
１５ｂ  側縁
１６  導電層
１７  接着層
２０  アンテナ導体
２１，２２  アンテナエレメント
２１ａ  線条部
２５，１２５  給電部
３０  アンテナ導体
３１，３２，３３，３４，３６  アンテナエレメント
３５，１３５  給電部
４０，１４０  中央線
５０，１５０  デフォッガ
【図１】
2015099949.tif 000005
【図２】
2015099949.tif 000006
【図３】
2015099949.tif 000007
【図４】
2015099949.tif 000008
【図５】
2015099949.tif 000009
【図６】
2015099949.tif 000010
【図７】
2015099949.tif 000011
【図８】
2015099949.tif 000012